(57)【要約】【課題】ページ記述データが入力され、入力されたページ記述データを、記憶しておくとともにラスタイメージデータに変換し、そのラスタイメージデータを外部に出力するデータ変換装置に関し、データ変換処理効率を高く維持したまま、人手によらずバックアップを開始する。【解決手段】所定周期のクロックをカウントするタイマ部１０５と、記憶してあるページ記述データをバックアップするバックアップ処理部１０６と、バックアップ処理部１０６がバックアップを開始するタイミングを決定する条件の設定を行う設定部１０７とを備え、バックアップ処理部１０６は、タイマ部１０５のカウント値が設定部１０７によって設定された条件を満足した時点で、記憶してあるページ記述データをバックアップするものである。【選択図】        図１
2004246803.tif 000002
【特許請求の範囲】
【請求項１】
ページ記述データが入力され、入力されたページ記述データを、記憶しておくとともにラスタイメージデータに変換し、該ラスタイメージデータを外部に出力するデータ変換装置において、
所定周期のクロックをカウントするタイマ部と、
記憶してある前記ページ記述データをバックアップするバックアップ処理部と、
前記バックアップ処理部がバックアップを開始するタイミングを決定する条件の設定を行う設定部とを備え、
前記バックアップ処理部は、前記タイマ部のカウント値が前記設定部によって設定された条件を満足した時点で、記憶してある前記ページ記述データをバックアップするものであることを特徴とするデータ変換装置。
【請求項２】
前記タイマ部が、現在時刻を示すものであり、
前記設定部が、バックアップを開始する時刻を設定するものであることを特徴とする請求項１記載のデータ変換装置。
【請求項３】
前記タイマ部が、最後に入力されたページ記述データの、入力時点からの経過時間を示すものであり、
前記設定部が、最後に入力されたページ記述データの入力時点からバックアップを開始する時点までの待ち時間を設定するものであることを特徴とする請求項１記載のデータ変換装置。
【請求項４】
このデータ変換装置が、入力されたページ記述データとともに前記ラスタイメージデータも記憶しておくものであって、
前記バックアップ処理部が、前記時点で、記憶してある前記ページ記述データをバックアップするとともに記憶してある前記出力画像データもバックアップするものであることを特徴とする請求項１記載のデータ変換装置。
【発明の詳細な説明】
【０００１】
【発明の属する技術分野】
本発明は、ページ記述データが入力され、入力されたページ記述データを、記憶しておくとともにラスタイメージデータに変換し、そのラスタイメージデータを外部に出力するデータ変換装置に関する。
【０００２】
【従来の技術】
従来より、取得した電子データを処理するデータ処理装置では、その装置の破損や消滅その他不測の事態に備え、取得した電子データのバックアップ（複写）を行っておくことが多い（例えば、非特許文献１参照）。このバックアップのための処理は、データ処理装置にそれなりの負荷がかかる。そのため、通常、バックアップは、データ処理装置の稼働率が低い時間を見計らって行われる。
【０００３】
ところで、データ処理装置の一つとして、上記のようなデータ変換装置が知られており、このようなデータ変換装置でも、装置の稼働率が低い時間を見計らってバックアップが行われる。例えば、日中は顧客からページ記述データが次々と入力され、夜間は反対にほとんど入力されない傾向にあるデータ変換装置では、夜間にバックアップが行われる。また、２４時間ランダムにページ記述データが入力されるものの、次のページ記述データが入力されるまでに時間があく傾向にあるデータ変換装置では、変換処理を終了してから次のページ記述データが入力されるまでの間にバックアップが行われる。
【０００４】
【非特許文献１】
石田秋也、松前祐司、武居昌弘共著「ＮＥＷＳ−ＯＳシステムワークブック」株式会社アスキー発行、１９８８年１２月２１日、ｐ．１４１−１４４
【０００５】
【発明が解決しようとする課題】
しかしながら、夜間にバックアップを行う場合であっても、次のページ記述データが入力されるまでの間にバックアップを行う場合であっても、バックアップの開始操作は作業者が行うものであり、バックアップを開始するまでは、作業者を拘束しておかなければならず、人件費が嵩んでしまう。
【０００６】
本発明は、上記事情に鑑み、データ変換処理効率を高く維持したまま、人手によらずバックアップを開始することができるデータ変換装置を提供することを目的とする。
【０００７】
【課題を解決するための手段】
上記目的を達成する本発明のデータ変換装置は、ページ記述データが入力され、入力されたページ記述データを、記憶しておくとともにラスタイメージデータに変換し、そのラスタイメージデータを外部に出力するデータ変換装置において、
所定周期のクロックをカウントするタイマ部と、
記憶してある上記ページ記述データをバックアップするバックアップ処理部と、
上記バックアップ処理部がバックアップを開始するタイミングを決定する条件の設定を行う設定部とを備え、
上記バックアップ処理部は、上記タイマ部のカウント値が上記設定部によって設定された条件を満足した時点で、記憶してある上記ページ記述データをバックアップするものであることを特徴とする。
【０００８】
本発明のデータ変換装置によれば、上記設定部に、データ変換処理効率を低下させてしまうようなタイミングを除いたタイミングを決定する条件を予め設定しておくことで、上記バックアップ処理部により自動バックアップが開始されるため、データ変換処理効率を高く維持したまま、人手によらずバックアップを開始することができる。
【０００９】
また、本発明のデータ変換装置において、上記タイマ部が、現在時刻を示すものであり、
上記設定部が、バックアップを開始する時刻を設定するものであってもよいし、あるいは
上記タイマ部が、最後に入力されたページ記述データの、入力時点からの経過時間を示すものであり、
上記設定部が、最後に入力されたページ記述データの入力時点からバックアップを開始する時点までの待ち時間を設定するものであってもよい。
【００１０】
前者であれば、夜間にバックアップを行う場合に適しており、後者であれば、変換処理を終了してから次のページ記述データが入力されるまでの間にバックアップを行う場合に適している。
【００１１】
さらに、本発明のデータ変換装置において、このデータ変換装置が、入力されたページ記述データとともに上記ラスタイメージデータも記憶しておくものであって、
上記バックアップ処理部が、上記時点で、記憶してある上記ページ記述データをバックアップするとともに記憶してある上記出力画像データもバックアップするものであってもよい。
【００１２】
時間をかけて変換したラスタイメージデータも、ページ記述データとともにバックアップしておくことで、変換処理の二度手間が省ける。
【００１３】
【発明の実施の形態】
以下、本発明の実施形態について説明する。
【００１４】
図１は、本発明の一実施形態であるデータ変換装置が組み込まれたシステムを示す図である。
【００１５】
図１には、編集用ワークステーション２０１，２０２，２０３と、本実施形態のデータ変換装置１０と、プリンタ３００が示されている。
【００１６】
編集用ワークステーション２０１，２０２，２０３は、編集用ソフトウェア（ＤＴＰアプリケーション）を用いて、画像を表わす絵柄，テキスト，線画等のレイアウトを決める編集作業をページ記述言語（ＰＤＬ：Ｐａｇｅ  Ｄｅｓｃｒｉｐｔｉｏｎ  Ｌａｎｇｕａｇｅ）を使用して行ない、その結果をＰＳ（ＰｏｓｔＳｃｒｉｐｔ）データやＰＤＦ（Ｐｏｒｔａｂｌｅ  Ｄｏｃｕｍｅｎｔ  Ｆｏｒｍａｔ）データで情報処理装置１０に出力する。これらＰＳデータやＰＤＦデータは、ページの内容をプログラム言語で記したデータであり、本発明にいうページ記述データに相当する。
【００１７】
データ変換装置１０は、詳細は後述するが、上記ＰＳデータやＰＤＦデータを印刷用のＲＩＰ（Ｒａｓｔｅｒ  Ｉｍａｇｅ  Ｐｒｏｃｅｓｓｏｒ）データに変換してプリンタ３００に出力するものである。
【００１８】
プリンタ３００は、電子写真方式を採用し、ラスタイメージデータからなる画像を、指定された印刷用紙の両面もしくは片面に印刷するものである。なお、電子写真方式に代えて昇華熱転写方式を採用したものであってもよい。
【００１９】
図２は、図１に示すデータ変換装置のハードウェア構成図である。
【００２０】
このデータ変換装置１０は、各種プログラムを実行するＣＰＵ１、ハードディスク装置３に格納されたプログラムが読み出されＣＰＵ１での実行のために展開される主メモリ２、各種プログラムやデータ等が保存されたハードディスク装置３、光磁気（ＭＯ）ディスク４＿１が装填され、その装填されたＭＯディスク４＿１をアクセスするＭＯディスクドライブ４、ＣＤ−ＲＯＭ５＿１をアクセスするＣＤ−ＲＯＭドライブ５、図１に示す編集用ワークステーション２０１，２０２，２０３と接続され、それら編集用ワークステーション２０１，２０２，２０３からのＰＳ／ＰＤＦデータを受け取る入力インタフェース６、プリンタ３００と接続され、そのプリンタ３００にＲＩＰデータを送る出力インタフェース７を備えている。また、このデータ変換装置１０は、ＣＰＵ１からの指示に応じて画像を表示する画像表示装置１２、キー操作に応じた各種の情報を入力するキーボード１３、および、画像表示装置１２の画面上の任意の位置を指定することにより、その位置に表示された、例えばアイコン等に応じた指示を入力するマウス１４も備えている。これらの各種要素は、バス１５を介して相互に接続されている。
【００２１】
図３は、図１に示すデータ変換装置の機能ブロック図である。
【００２２】
このデータ変換装置１０は、入力部１０１、ＰＤＦ加工部１０２、ＲＩＰ部１０３、出力部１０４、タイマ部１０５、バックアップ処理部１０６、および設定部１０７を有する。図３に示す入力部１０１には、図１に示す編集用ワークステーション２０１，２０２，２０３から、ＰＳデータが格納された入力ＰＳファイルＡやＰＤＦデータが格納された入力ＰＤＦファイルＢが入力され、これらの入力ファイルＡ，Ｂは、それぞれ、オリジナルＰＳファイルＣ、オリジナルＰＤＦファイルＤとして一時保存（スプール）される。これらのオリジナルファイルＣ，Ｄは、ＲＩＰ部１０３に送られたり、あるいはＰＤＦ加工部１０２に送られる。ＲＩＰ部１０３は、送られてきたオリジナルファイルのＰＳデータやＰＤＦデータをＲＩＰデータに変換し、変換したＲＩＰデータを格納したＲＩＰファイルＥを生成し出力部１０４に送る。ＰＤＦ加工部１０２は、ＰＧＦ変換部１０２１と画像処理部１０２２を備えている。ＰＧＦ変換部１０２１には、オリジナルＰＳファイルＣのＰＳデータが送られることがあり、ＰＧＦ変換部１０２１は、ＰＳデータが送られてくると、送られてきたＰＳデータをＰＤＦデータに変換し、変換したＰＧＦデータを格納した変換ＰＤＦファイルＦを生成し画像処理部１０２２に送る。また、画像処理部１０２２には、オリジナルＰＤＦファイルＤのＰＤＦデータが送られることがある。画像処理部１０２２は、送られてきたＰＤＦデータに対して、ＩＣＣプロファイルに基づいて色変換処理を行い、次いでプリンタ３００で印刷される印刷用紙上における各色の位置ズレを目立たなくさせるためのオブジェクトの太らせ処理，細らせ処理等のトラップ処理を行う。また、画像処理部１０２２は、トラップ処理に続いて、フォントデータをＰＤＦデータに埋め込むフォント埋込処理を行い、最後にエラーチェックを行なって最終的に加工済みのＰＤＦデータを格納した加工済ＰＤＦファイルＧを出力する。また、エラーチェックの結果を表すレポートＰＤＦファイルＨも出力する。加工済ＰＤＦファイルＧを外部装置４００で使用するにあたり、その外部装置４００に上記フォントが組み込まれていない場合であっても、その外部装置４００にインストールされているＰＤＦアプリケーションでプレビュー（表示），エディット（編集），トラップ指定が可能である。さらに、加工済ＰＤＦファイルＧに格納されている加工済ＰＤＦデータは、ＲＩＰ部１０３でＲＩＰデータに変換され、ＲＩＰファイルＥとして出力部１０４に送られる。出力部１０４は、ＲＩＰファイルＥをプリンタへ出力する。
【００２３】
タイマ部１０５は、所定周期のクロックをカウントするものである。
【００２４】
図１に示すデータ変換装置１０では、オリジナルファイルＣ，Ｄ等を、図２に示すハードディスク装置３に保存しておく他、ＭＯディスクドライブ４に装填されたＭＯディスクに複写するバックアップ処理を行う。設定部１０７は、このバックアップ処理を開始するタイミングを決定する条件の設定や、バックアップを行うファイルの指定等を行うものであり、図２に示すキーボード１３やマウス１４がこれに相当する。また、バックアップ処理部１０６は、タイマ部１０５のカウント値が、設定部１０７によって設定された条件を満足した時点で、ハードディスク装置３に保存してあるファイルをＭＯディスクに複写するものであり、図２に示すＣＰＵ１がこれに相当する。したがって、図１に示すデータ変換装置１０によれば、設定部１０７に、データ変換処理効率を低下させてしまうようなタイミングを除いたタイミングを決定する条件を予め設定しておくことで、バックアップ処理部１０６により自動バックアップが開始されるため、データ変換処理効率を高く維持したまま、人手によらずバックアップを開始することができる。
なお、バックアップ先は、ＭＯディスクに限らず様々な外部記憶媒体であってもよく、あるいは、このデータ変換装置１０がサーバに接続されていれば、そのサーバのハードディスク装置であってもよい。
【００２５】
以下、図２に示す画像表示装置１２に表示される、バックアップ処理に関するＧＵＩ画面を用いて、図１に示すデータ変換装置１０におけるバックアップ処理について説明する。
【００２６】
図４は、バックアップツールが起動したときのＧＵＩ画面を示す図である。
【００２７】
バックアップツールは、この図４の左下に示すスタートボタン３０をクリックすることによって表示されるスタートアップメニューから起動される。図３に示すオリジナルＰＳファイルＣやオリジナルＰＤＦファイルＤの中にはジョブチケットが含まれており、ユーザは、このジョブチケットに従ってまずジョブ登録を行う。図１に示すデータ変換装置１は、このジョブ登録を受けて、図３に示すＰＤＦ変換部１０２１による変換処理やＲＩＰ部１０３による変換処理をジョブ単位で実行し、バックアップ処理についても、ジョブ単位で処理を行う。
【００２８】
バックアップツールが起動すると、図４に示すアーカイバ画面４０が開かれる。このアーカイバ画面４０は、上下に２分割されており、上半分のアーカイブジョブ欄４１には、アーカイブ中、すなわちバックアップ処理中のジョブの一覧が示され、下半分のキュージョブ欄４２には、キューに存在するジョブ、すなわち図３に示すＲＩＰ部１０３による処理やＰＤＦ加工部１０２による処理を待っているジョブの一覧が示される。ここでは、アーカイブ中のジョブはなく、キューに存在するジョブは全部で４つである。
【００２９】
アーカイバ画面４０に示されたツールバー４３の一番右端のアイコン４３１をクリックすると、バックアップ設定ツールが起動する。
【００３０】
図５は、バックアップ設定ツールが起動したときのＧＵＩ画面を示す図である。
【００３１】
バックアップ設定ツールが起動すると、図５に示すアーカイブタスクのスケジュール予約画面５０が開かれる。なお、このアーカイブタスクのスケジュール予約画面５０は、右下の「閉じる」ボタンをクリックすることで閉じられる。
【００３２】
図５に示すアーカイブタスクのスケジュール予約画面５０には、既に設定されたバックアップ処理（タスク）が横一列ずつリスト形式で示される。ここでは、‘Ｔｅｓｔ’と名付けられたバックアップ処理が１つ示されている。このバックアップ処理の内容を変更する場合には、このバックアップ処理の列の上にマウス・ポインタ１４１を合わせ図２に示すマウス１４をクリック操作する。こうすることで、変更を行うバックアップ処理が指定される。次いで、この画面に示されたツールバー５１の一番左端のアイコン５１１をクリックすると、バックアップ処理の内容変更を行う修正ウィンドウが開く。また、新規なバックアップ処理の設定を行う場合には、マウス操作によるバックアップ処理の指定を省略し、ツールバー５１の一番左端のアイコン５１１をクリックすればよい。この場合には、新規なバックアップ処理の設定を行う新規設定ウィンドウが開く。修正ウィンドウと新規設定ウィンドウは、タイトルバーの表示が異なることを除けば同じであるため、ここでは、新規設定ウィンドウについて説明し、修正ウィンドウについての説明は省略する。
【００３３】
図６は、新規設定ウィンドゥのデフォルトの表示態様を示す図である。
【００３４】
図６に示す新規設定ウィンドゥ６０には、「タスク設定」「設定」「スケジュール予約」といった３つのパネルが用意されており、これらのパネルそれぞれにはタブが付されている。ここでは、「タスク設定」のパネル６１が表示されている。このパネル６１には、バックアップ処理（タスク）の名前を入力する名前入力欄６１１と、バックアップ処理の簡単な内容を入力する内容入力欄６１２が用意されている。また、内容入力欄６１２下には、上下に並んだ２つのチェックボックス６１３，６１４が用意されている。上方のチェックボックス６１３にチェックが入れられると、バックアップ先であるＭＯディスクの空き容量が足りない場合には、バックアップが実行されなくなる。なお、ＭＯディスクの空き容量が足りない場合であっても、このチェックボックス６１３にチェックが未入力であると、ＭＯディスクの空き容量がゼロになるまでバックアップは行われる。下方のチェックボックス６１４にチェックが入れられると、後述する「スケジュール予約」のパネルで設定されたスケジュールにしたがってバックアップ処理が行われる。反対に、この下方のチェックボックス６１４にチェックが入れられていないと、バックアップ処理は実行されない。
【００３５】
「タスク設定」のパネル６１に入力した内容は、右下の適用ボタン６１５をマウス操作でクリックすることにより確定される。また、このパネル６１は、キャンセルボタン６１６をクリックすることで未入力の状態に戻り、ＯＫボタン６１７をクリックすることで閉じられる。なお、以下の説明で用いる各画面においても、これらのボタンは同様な機能を有する。
【００３６】
図７は、新規設定ウィンドゥで「設定」と記されたタブがクリックされたときの表示態様を示す図である。
【００３７】
この図７には、「設定」のパネル７１が表示されている。このパネル７１には、左半分に、送り先選択欄７１１、アーカイブジョブ選択欄７１２、および選択ジョブ表示欄７１３の３つの欄が用意されており、右半分に、データ種別選択欄７１４、圧縮方式選択欄７１５、およびオプション設定欄７１６の３つの欄が用意されている。
【００３８】
送り先選択欄７１１には、バックアップ先を指定する欄７１１１が設けられている。ここでは、図２に示すＭＯディスク装置に割合てられたＦドライブが選択されている。また、この送り先選択欄７１１には、バックアップ先でのデータの保存態様を選択するラジオボタン７１１２が設けられている。「フォルダ」と記されたラジオボタンがクリックされると、各ジョブごとにファイルが作成され、作成された複数のファイルは１つのフォルダに格納される。一方、「ファイル」と記されたラジオボタンがクリックされると、全てのジョブが入った１つのファイルが作成される。
【００３９】
アーカイブジョブ選択欄７１２には、バックアップを行うジョブの種類を選択するための３つのラジオボタン７１２１〜７１２３が縦一列に設けられている。
一番上のラジオボタン７１２１がクリックされると、その横のジョブ選択ボタン７１２４がアクティブになるとともに、選択ジョブ表示欄７１３に既に選択されたジョブの一覧が表示される。図７は、一番上のラジオボタン７１２１がクリックされた時点の状態を示している。アクティブになったジョブ選択ボタン７１２４をクリックすると、選択ジョブ表示欄７１３の表示が図４に示すキュージョブ欄４２に表示される内容に切り替わる。すなわち、選択ジョブ表示欄７１３には、キューに現在存在するジョブの一覧が表示される。また、選択ジョブ表示欄７１３の表示切替に合わせて、選択ジョブ表示欄７１３内に選択ボタン（不図示）が追加される。ユーザは、キューに現在存在するジョブの中から、不図示の選択ボタンをクリックすることで、所望のジョブをバックアップするジョブとして指定することができる。ここで、図１に示すデータ変換装置１０では、ユーザがジョブ登録を行う時点で、登録するジョブに対してアーカイブフラグをセットすることで、バックアップ処理の設定を行うことを仮予約することができる。中央のラジオボタン７１２２がクリックされると、その横のフラグ確認ボタン７１２５がアクティブになるとともに、選択ジョブ表示欄７１３に既に選択されたジョブの一覧が表示される。アクティブになったフラグ確認ボタン７１２５をクリックすると、選択ジョブ表示欄７１３の表示が、キューに現在存在するジョブの中でアーカイブフラグがセットされているジョブの一覧に切り替わる。この場合にも、表示切替に合わせて選択ジョブ表示欄７１３内に選択ボタン（不図示）が追加され、ユーザはこの選択ボタンをクリックすることで、バックアップ処理の設定を仮予約したジョブの中からバックアップ処理を行うジョブを最終的に指定することができる。また、一番下のラジオボタン７１２３がクリックされると、その横の日数指定欄７１２６とリフレッシュボタン７１２７がともにアクティブになる。日数指定欄７１２６は、ホップアップメニュー形式で複数の日数の中からいずれか一つの日数を指定することができる欄であり、選択ジョブ表示欄７１３には、この日数指定欄７１２６で指定された日数以内に作業が終了したジョブの一覧が表示される。ここでは、新規設定ウィンドゥについて説明しているが、リフレッシュボタン７１２７は、修正ウィンドゥを開いてバックアップ処理の内容変更を行う際に用いられるボタンである。不図示の修正ウィンドウからこの図７に示す「設定」のパネル７１と同じパネルが開かれ、一番下のラジオボタン７１２３がクリックされると、選択ジョブ表示欄７１３には、新規設定を行った時の時点から日数指定欄７１２６で指定された日数以内に作業が終了したジョブの一覧が表示される。すなわち、選択ジョブ表示欄７１３には、新規設定を行った時の時点を基準にしたジョブの一覧が表示される。リフレッシュボタン７１２７がクリックされると、選択ジョブ表示欄７１３に表示されるジョブの一覧は、このボタンをクリックし時点を基準にしたものに更新される。
【００４０】
右上のデータ種別選択欄７１４には、バックアップを行うデータの種別を選択するための２つのラジオボタン７１４１，７１４２が設けられている。このデータ変換装置１０では、図３に示すオリジナルＰＳファイルＣに格納されているＰＳデータやオリジナルＰＤＦファイルＤに格納されているＰＤＦデータ（以下、これらのデータをオリジナルデータと称する）の他に、ＲＩＰ部１０３やＰＤＦ加工部１０２による処理結果のデータもバックアップすることを選択することができる。すなわち、図３に示すＲＩＰファイルＥに格納されているＲＩＰデータ、加工済ＰＤＦファイルＧに格納されている加工済ＰＤＦデータ、およびレポートＰＤＦファイルＨに格納されているレポートＰＤＦデータの３つのデータ（以下、これら３つのデータを総称して展開済データと称する）もバックアップすることができる。「オリジナルのみ」と記されたラジオボタン７１４１がクリックされると、展開済データはバックアップされずオリジナルデータのみがバックアップされる。一方、「オリジナルと展開済」と記されたラジオボタン７１４２がクリックされると、オリジナルデータと展開済データとの双方のデータがバックアップされる。なお、展開済データについても、そのデータが生成されたジョブ単位でバックアップ処理がなされ、上述した各種の選択、および後述する各種の選択を行うことができる。不測の事態が生じ展開済データを再度生成しなければならなくなっても、展開済データについてもバックアップを行っておくことで、生成処理の二度手間が省け好ましい。
【００４１】
圧縮方式選択欄７１５は、バックアップするデータを圧縮してバックアップするか否かを、２つのラジオボタンを用いて選択する欄である。ここでは、圧縮を行うことが選択されている。
【００４２】
オプション設定欄７１６には、２つのチェックボックス７１６１，７１６２が設けられている。一方のチェックボックス７１６１にチェックを入れることで、バックアップを行ったバックアップ元のデータを再度バックアップする際には、再度バックアップするデータが、前回のバックアップ時に作成したバクアップ先のバックアップデータに上書きされる。反対にこのチェックボックス７１６１にチェックを入れないと、バックアップを行ったバックアップ元のデータを再度バックアップする際には、再度バックアップするデータがバックアップされない。
また、もう一方のチェックボックス７１６２にチェックを入れておくことで、オリジナルデータのみをバックアップする場合であっても、オリジナルデータと展開済データとの双方をバックアップする場合であっても、バックアップが完了すれば展開済データがバックアップ元から削除される。反対にこのチェックボックス７１６２にチェックを入れなければ、いずれの場合であっても、展開済データがバックアップ元に保存される。
【００４３】
図８は、新規設定ウィンドゥで「スケジュール予約」と記されたタブがクリックされたときの表示態様を示す図である。
【００４４】
この図８には、「スケジュール予約」のパネル８１が示されている。このパネル８１の上方には日時指定欄８１１および頻度指定欄８１２が設けられているとともに、下方には待ち時間指定欄８１３が設けられている。図１に示すデータ変換装置１０では、バックアップの開始タイミングが、時刻指定によって設定されるか、あるいはこれまで入力されたＰＳファイルやＰＤＦファイルのうち入力時刻が最後のファイルが入力されてからの経過時間によって設定される。前者であれば、日中は顧客からＰＳファイルやＰＤＦファイルが次々と入力され、夜間は反対にほとんど入力されない傾向にある場合のバックアップに適しており、後者であれば、２４時間ランダムにＰＳファイルやＰＤＦファイルが入力されるものの、次のファイルが入力されるまでに時間があく傾向にある場合のバックアップに適している。なお、本発明では、バックアップの開始タイミングの設定を、時刻と経過時間との双方によって行えるようにしておく必要は必ずしもなく、いずれか一方、あるいはこれら以外の条件によって行えるようにしてもよい。
【００４５】
バックアップの開始タイミングを時刻指定によって設定する場合には、日時指定欄８１１の左隅に設けられたラジオボタン８１１０をオンにする。すると、日時指定欄８１１と頻度指定欄８１２との２つの欄がアクティブになり、それらの下の待ち時間指定欄８１３はスリープになる。日時指定欄８１１は、バックアップ処理の開始日時等を指定する欄であって、このラジオボタン８１１０がオンされると、図３に示すタイマ部１０５は、現在時刻を示すものとして機能する。図３に示すバックアップ処理部１０６は、この日時指定欄８１１に指定された日時にバックアップを開始する。日時指定欄８１１には、開始日と記された開始日欄８１１１と、開始時刻と記された時刻欄８１１２と、終了日と記された終了日欄８１１３が用意されている。これらのいずれの欄８１１１，８１１２，８１１３にも、デフォルトの設定として、それぞれ、現在の年月日と時刻が表示される。
【００４６】
また、その横の頻度指定欄８１２は、バックアップの頻度を指定する欄である。ここでは、「一度」と表示されたラジオボタン８１２１がオンされており、バックアップを一度行ったら、バックアップを行ったバックアップ元のデータを再度バックアップすることは行わないように指定されている。「一度」と表示されたラジオボタン８１２１がオンされると、日時指定欄８１１の、開始日欄８１１１と時刻欄８１１２との２つの欄がアクティブになる。アクティブになった開始日欄８１１１のホップアップボタン８１１１ａをクリックすると、カレンダが表示される。
【００４７】
図９は、「スケジュール予約」のパネルにおいて、カレンダが表示されたときの状態を示す図である。
【００４８】
図９には、開始日欄８１１１に表示された年月のカレンダ８１１１ｂが表示されており、現在の日には丸印が付されている。バックアップを開始したい所望の日を指定するには、カレンダ上で所望の日の所をクリックする。指定された日は反転表示される。ここでは２５日が指定されている。
【００４９】
また、図８に示す、時刻欄８１１２において、所望の時刻を指定するには、右横のアップダウンボタンをクリックする。バックアップ処理は、日時指定欄８１１の、開始日欄８１１１と時刻欄８１１２との２つの欄において指定された日時に開始され、ここでは、頻度指定欄８１２の、「一度」と表示されたラジオボタン８１２１がオンされていることにより、一度のバックアップ処理で終了する。
【００５０】
頻度指定欄８１２には、「毎月」，「週一回」，「月一回」とそれぞれ表示されたラジオボタン８１２２〜８１２４も配備されている。これらのラジオボタン８１２２〜８１２４は、バックアップを一度行ったバックアップ元のデータを、所定周期で再度バックアップすることを指定するためのものであり、これらのラジオボタン８１２２〜８１２４のうちいずれか一つのボタンがオンされると、日時指定欄８１１の終了日欄８１１３がアクティブになる。アクティブになった終了日欄８１１３のホップアップボタン８１１３ａをクリックすると、開始日欄８１１１と同様、図９に示すカレンダ８１１１ｂが表示される。このカレンダ８１１１ｂの月の変更は、左右の送りボタン８１１１ｃをクリックすることで行われる。また、日の指定は、開始日の指定と同様な操作により行われる。終了日欄８１１３に日付指定がなされると、図３に示すバックアップ処理部１０６は、指定された日付以降は、再バックアップの処理を行わない。したがって、例えば、頻度として月一回を指定し、２００２年９月２５日をバックアップの開始日として指定するとともに２００２年１２月３１日をバックアップの終了日として指定すると、２００２年９月２５日から毎月２５日にバックアップ処理が実行され、２００２年１２月２５日のバックアップ処理を最後に一連のバックアップ処理が終了する。
【００５１】
一方、バックアップの開始タイミングを経過時間によって設定する場合には、待ち時間指定欄８１３の左隅に設けられたラジオボタン８１３０をオンにする。
すると今度は、待ち時間指定欄８１３がアクティブになり、日時指定欄８１１と頻度指定欄８１２との２つの欄はスリープになる。待ち時間指定欄８１３は、右横のアップダウンボタン８１３１をクリックすることで、最後に入力されたファイルの入力時点からバックアップを開始する時点までの待ち時間を指定する欄であって、このラジオボタン８１３０がオンされると、図３に示すタイマ部１０５は、最後に入力されたファイルの、入力時点からの経過時間を示すものとして機能する。図３に示すバックアップ処理部１０６は、この待ち時間指定欄８１３に指定された待ち時間が経過した時点でバックアップ処理を開始する。
【００５２】
なお、開始日欄８１１１、時刻欄８１１２、終了日欄８１１３、および待ち時間指定欄８１３のいずれの欄においても、図２に示すキーボード１３からの直接入力が可能である。
【００５３】
【発明の効果】
以上、説明したように、本発明のデータ変換装置によれば、データ変換処理効率を高く維持したまま、人手によらずバックアップを開始することができる。
【図面の簡単な説明】
【図１】本発明の一実施形態であるデータ変換装置が組み込まれたシステムを示す図である。
【図２】図１に示すデータ変換装置のハードウェア構成図である。
【図３】図１に示すデータ変換装置の機能ブロック図である。
【図４】バックアップツールが起動したときのＧＵＩ画面を示す図である。
【図５】バックアップ設定ツールが起動したときのＧＵＩ画面を示す図である。
【図６】新規設定ウィンドゥのデフォルトの表示態様を示す図である。
【図７】新規設定ウィンドゥで「設定」と記されたタブがクリックされたときの表示態様を示す図である。
【図８】新規設定ウィンドゥで「スケジュール予約」と記されたタブがクリックされたときの表示態様を示す図である。
【図９】「スケジュール予約」のパネルにおいて、カレンダが表示されたときの状態を示す図である。
【符号の説明】
１０    データ変換装置
１    ＣＰＵ
２    主メモリ
３    ハードディスク装置
４    ＭＯディスクドライブ
１３    キーボード
１４    マウス
１０１    入力部
１０２    ＰＤＦ加工部
１０３    ＲＩＰ部
１０４    出力部
１０５    タイマ部
１０６    バックアップ処理部
１０７    設定部
【図１】
2004246803.tif 000003
【図２】
2004246803.tif 000004
【図３】
2004246803.tif 000005
【図４】
2004246803.tif 000006
【図５】
2004246803.tif 000007
【図６】
2004246803.tif 000008
【図７】
2004246803.tif 000009
【図８】
2004246803.tif 000010
【図９】
2004246803.tif 000011